(57)【要約】【課題】  独立したシステムであって、システム全体としての保安管理が充実しており、且つ、利用者が気軽に利用できるような、貸ボックスシステムを提供すること。【解決手段】  外部から入口扉３１を通って入口室３へ入り、入口室３から通路扉４１を通って共用通路４へ入り、共用通路４から目的とするボックスルーム５のルーム扉５１を通って該ボックスルーム５へ入り、目的とする貸ボックスのボックス扉を開閉できるようになっている、貸ボックスシステムであって、システム全体を管理する管理部７が、第１ＩＣカード読取手段及び第１暗証番号入力手段による情報に基づいて、入口錠３１１を開錠させたり施錠したままとしたりする、入口扉制御手段と、第２ＩＣカード読取手段及び第２暗証番号入力手段による情報に基づいて、通路錠４１１を開錠させたり施錠したままとしたりする、通路扉制御手段と、を有していることを特徴としている。【選択図】図１
2005188140.tif 000002
【特許請求の範囲】
【請求項１】
入口室と、共用通路と、複数のボックスルームと、多数の貸ボックスと、を有する建築物を備え、外部から入口扉を通って入口室へ入り、入口室から通路扉を通って共用通路へ入り、共用通路から目的とするボックスルームのルーム扉を通って該ボックスルームへ入り、目的とする貸ボックスのボックス扉を開閉できるようになっている、貸ボックスシステムであって、
入口扉に設けられた入口錠と、
通路扉に設けられた通路錠と、
ルーム扉に設けられたルーム錠と、
ボックス扉に設けられたボックス錠と、
入口室外の入口扉又はその付近に設けられた、第１ＩＣカード読取手段及び第１暗証番号入力手段と、
入口室内の通路扉又はその付近に設けられた、第２ＩＣカード読取手段及び第２暗証番号入力手段と、
システム全体を管理する管理部と、を備えており、
管理部が、
第１ＩＣカード読取手段による読取情報と、第１暗証番号入力手段による入力情報とに基づいて、入口扉の開閉の許否を判断し、入口錠を開錠させたり施錠したままとしたりする、入口扉制御手段と、
第２ＩＣカード読取手段による読取情報と、第２暗証番号入力手段による入力情報とに基づいて、通路扉の開閉の許否を判断し、通路錠を開錠させたり施錠したままとしたりする、通路扉制御手段と、を有していることを特徴とする貸ボックスシステム。
【請求項２】
入口扉及び通路扉の内の少なくとも入口扉が、扉を強制的に閉じた状態とするロックアウト用電動マグネットを備えており、
入口室、共用通路、及びボックスルームの内の少なくとも一つが、人の動きを検知する人感センサーを備えており、
管理部が、上記マグネットを作動させる扉ロックアウト手段を有しており、
扉ロックアウト手段は、上記センサーによる検知情報に基づいて、複数の人が居ると判断した場合に、又は、人が異常行動をしていると判断した場合に、上記マグネットを作動させるようになっている、請求項１記載の貸ボックスシステム。
【請求項３】
入口扉、通路扉、及びルーム扉の内の少なくとも一つが、扉の破壊を検知する門戸センサーを備えており、
管理部が、門戸センサーが破壊を検知した場合に警報を発する扉警報手段を有している、請求項１記載の貸ボックスシステム。
【請求項４】
ボックスルーム及び貸ボックスの内の少なくとも一方が、案内表示灯を備えており、
管理部が、第１又は第２ＩＣカード読取手段による読取情報に基づいて、目的とするボックスルーム及び目的とする貸ボックスの内の少なくとも一方の案内表示灯を点灯させる、点灯手段を有している、請求項１記載の貸ボックスシステム。
【請求項５】
ボックスルームが、人の動きを検知する人感センサーを備えており、
管理部が、上記センサーによる検知情報に基づいて、人がボックスルームへ入室してからの時間を計測し、所定時間を越えた場合に、ボックスルーム内に設置されているスピーカから督促の警告を発する、ルーム督促手段を有している、請求項１記載の貸ボックスシステム。
【請求項６】
貸ボックスが、ボックス扉の開閉を検知する門戸センサーを備えており、
管理部が、上記センサーによる検知情報に基づいて、ボックス扉が開かれてからの時間を計測し、所定時間を越えた場合に、ボックスルーム内に設置されているスピーカから督促の警告を発する、ボックス督促手段を有している、請求項１記載の貸ボックスシステム。
【請求項７】
第１又は第２暗証番号入力手段による入力情報に基づいて、暗証番号の入力が所定時間内に終了しなかった場合、又は、暗証番号の入力が３回間違った場合、を検知し、システム全体の作動をロックさせる、システムロック手段を有している、請求項１記載の貸ボックスシステム。
【発明の詳細な説明】
【技術分野】
【０００１】
本発明は、多数の貸ボックスを備え、多数の人が個々に安心して自己の貸ボックスを確保して収納物の出し入れを行うことができるようにした、貸ボックスシステムに関するものである。例えるならば、銀行における貸金庫システムが独立したようなものである。
【背景技術】
【０００２】
一般の貸金庫は、銀行内に堅牢な構造物として設けられているため、保安管理の力点は、システム全体よりも、利用者の認証方法に、置かれていた。
【特許文献１】特公平６−３９８５５号公報
【発明の開示】
【発明が解決しようとする課題】
【０００３】
一方、貸金庫のような堅牢な構造物ではなくても、システム全体としての保安管理が充実しており、且つ、利用者が気軽に利用できるような、システムが望まれるようになってきている。
【０００４】
本発明は、独立したシステムであって、システム全体としての保安管理が充実しており、且つ、利用者が気軽に利用できるような、貸ボックスシステムを提供することを目的としている。
【課題を解決するための手段】
【０００５】
請求項１記載の発明は、入口室と、共用通路と、複数のボックスルームと、多数の貸ボックスと、を有する建築物を備え、外部から入口扉を通って入口室へ入り、入口室から通路扉を通って共用通路へ入り、共用通路から目的とするボックスルームのルーム扉を通って該ボックスルームへ入り、目的とする貸ボックスのボックス扉を開閉できるようになっている、貸ボックスシステムであって、入口扉に設けられた入口錠と、通路扉に設けられた通路錠と、ルーム扉に設けられたルーム錠と、ボックス扉に設けられたボックス錠と、入口室外の入口扉又はその付近に設けられた、第１ＩＣカード読取手段及び第１暗証番号入力手段と、入口室内の通路扉又はその付近に設けられた、第２ＩＣカード読取手段及び第２暗証番号入力手段と、システム全体を管理する管理部と、を備えており、管理部が、第１ＩＣカード読取手段による読取情報と、第１暗証番号入力手段による入力情報とに基づいて、入口扉の開閉の許否を判断し、入口錠を開錠させたり施錠したままとしたりする、入口扉制御手段と、第２ＩＣカード読取手段による読取情報と、第２暗証番号入力手段による入力情報とに基づいて、通路扉の開閉の許否を判断し、通路錠を開錠させたり施錠したままとしたりする、通路扉制御手段と、を有していることを特徴としている。
【０００６】
請求項２記載の発明は、請求項１記載の発明において、入口扉及び通路扉の内の少なくとも入口扉が、扉を強制的に閉じた状態とするロックアウト用電動マグネットを備えており、入口室、共用通路、及びボックスルームの内の少なくとも一つが、人の動きを検知する人感センサーを備えており、管理部が、上記マグネットを作動させる扉ロックアウト手段を有しており、扉ロックアウト手段は、上記センサーによる検知情報に基づいて、複数の人が居ると判断した場合に、又は、人が異常行動をしていると判断した場合に、上記マグネットを作動させるようになっているものである。なお、ロックアウト用電動マグネットは、入口扉及び通路扉の両方が備えるのが好ましい。また、人感センサーは、入口室、共用通路、及びボックスルームの全てが備えるのが好ましい。
【０００７】
請求項３記載の発明は、請求項１記載の発明において、入口扉、通路扉、及びルーム扉の内の少なくとも一つが、扉の破壊を検知する門戸センサーを備えており、管理部が、門戸センサーが破壊を検知した場合に警報を発する扉警報手段を有しているものである。なお、門戸センサーは、入口扉、通路扉、及びルーム扉の全てが備えるのが好ましい。
【０００８】
請求項４記載の発明は、請求項１記載の発明において、ボックスルーム及び貸ボックスの内の少なくとも一方が、案内表示灯を備えており、管理部が、第１又は第２ＩＣカード読取手段による読取情報に基づいて、目的とするボックスルーム及び目的とする貸ボックスの内の少なくとも一方の案内表示灯を点灯させる、点灯手段を有しているものである。なお、案内表示灯は、ボックスルーム及び貸ボックスの両方が備えるのが好ましい。
【０００９】
請求項５記載の発明は、請求項１記載の発明において、ボックスルームが、人の動きを検知する人感センサーを備えており、管理部が、上記センサーによる検知情報に基づいて、人がボックスルームへ入室してからの時間を計測し、所定時間を越えた場合に、ボックスルーム内に設置されているスピーカから督促の警告を発する、ルーム督促手段を有しているものである。
【００１０】
請求項６記載の発明は、請求項１記載の発明において、貸ボックスが、ボックス扉の開閉を検知する門戸センサーを備えており、管理部が、上記センサーによる検知情報に基づいて、ボックス扉が開かれてからの時間を計測し、所定時間を越えた場合に、ボックスルーム内に設置されているスピーカから督促の警告を発する、ボックス督促手段を有しているものである。
【００１１】
請求項７記載の発明は、請求項１記載の発明において、第１又は第２暗証番号入力手段による入力情報に基づいて、暗証番号の入力が所定時間内に終了しなかった場合、又は、暗証番号の入力が３回間違った場合、を検知し、システム全体の作動をロックさせる、システムロック手段を有しているものである。
【発明の効果】
【００１２】
請求項１記載の発明によれば、利用者による利用の許否が、入口扉制御手段及び通路扉制御手段によって、２回判断されるので、不当な者による利用の可能性を大きく低減でき、よって、保安管理の充実性を大きく向上できる。
【００１３】
請求項２記載の発明によれば、入室した者を、入口室、又は、共用通路及びボックスルームに閉じ込めることができる。従って、不当な者を拘束して、異常利用を終息させることができる。
【００１４】
請求項３記載の発明によれば、扉を破壊するという強行な窃盗行為による被害の発生を防止できる。
【００１５】
請求項４記載の発明によれば、利用者は、案内表示灯を目印にして、迷うことなく且つ確実に、目的とするボックスルームへ、又は、目的とする自己の貸ボックスへ、到達できる。
【００１６】
請求項５又は６に記載の発明によれば、異常利用発生の可能性を低減できる。
【００１７】
請求項７記載の発明によれば、不当である可能性が高い者による利用を排除できる。
【発明を実施するための最良の形態】
【００１８】
図１は本発明の貸ボックスシステムを実施するシステム用建築物の平面略図である。システム用建築物は、ビル建物の１つのフロアを全部利用したり、１つのフロアの中の独立した区画を利用したり、独立した建物を利用したりすることにより、実現されるものである。図１の例は、建物の１つのフロアを全部利用したものである。
【００１９】
このシステム用建築物１は、外壁１１で囲まれた空間内に、エレベーターホール２と、入口室３と、共用通路４と、複数（ここでは６個）のボックスルーム５と、を有している。各ボックスルーム５には、多数の貸ボックスが一体となったボックス棚６が設置されている。建築物１内の配置関係は、エレベーターホール２から入口扉３１を通って入口室３に入り、入口室３から通路扉４１を通って共用通路４に入り、共用通路４から、目的とするボックスルーム５のルーム扉５１を通って該ボックスルーム５に入り、目的とする貸ボックスに到達するという配置のみが成立するようになっている。
【００２０】
本システムは、本システムを実施するための種々の設備を備えており、それらの設備全体の管理を行う管理部も備えている。その管理部７は、建築物１内に設けてもよいが、建築物１から離れた所、例えば、異なるフロアや異なる建物に、設けてもよい。管理部７を建築物１から離れた所に設ける場合には、建築物１内の種々の設備と管理部７とを、例えばネットワークを介して接続する。なお、管理部７には、管理者が待機していてもよい。
【００２１】
次に、種々の設備について説明する。なお、図２は入口扉３１をエレベーターホール２側から見た図、図３はルーム扉５１を共用通路４側から見た図、図４は貸ボックス６０の正面図である。
（１）エレベーターホール２
・監視カメラ２１が、エレベーターの乗降口付近を撮影するよう設置されている。この監視カメラ２１には、集音マイクが内蔵されている。
・第１ＩＣカード読取手段２２１と第１暗証番号入力手段２２２とからなる入力器２２が、入口扉３１付近の壁に設置されている。
・入口扉３１を強制的に閉じたままとするロックアウト用電動マグネット２３が、入口扉３１に設置されている。
・来客を検知するための、反射型赤外線センサー２４１とリフレクター２４２とからなる来客センサーが、エレベーターホール２の両側壁に設置されている。
・インターホーン２５が、入口扉３１付近の壁に設置されている。
・スピーカ（図示せず）がエレベーターホール２の天井に設置されている。
【００２２】
（２）入口室３
・入口扉３１は、電動で施開錠する入口錠３１１を備えている。
・入口扉３１の破壊を検知する門戸センサー（図示せず）が、入口扉３１に設けられている。
・監視カメラ３２が、入口扉３１付近を撮影するよう設置されている。
・第２ＩＣカード読取手段と第２暗証番号入力手段とからなる入力器３３が、通路扉４１付近の壁に設置されている。
・通路扉４１を強制的に閉じたままとするロックアウト用電動マグネット３４が、通路扉４１に設置されている。
・インターホーン３５が、通路扉４１付近の壁に設置されている。
・人の動きを検知する人感センサー（図示せず）が、入口室３の壁に複数個設けられている。
・スピーカ（図示せず）が入口室３の天井に設置されている。
【００２３】
（３）共用通路４
・通路扉４１は、電動で施開錠する通路錠４１１を備えている。
・通路扉４１の破壊を検知する門戸センサー（図示せず）が、通路扉４１に設けられている。
・複数個（ここでは２個）の監視カメラ４２が、通路扉４１付近を含む共用通路４内を、共用通路４全体に渡って死角が生じないよう撮影するように設置されている。
・インターホーン４３が、共用通路４の壁に、少なくとも１個設置されている。
・人の動きを検知する人感センサー（図示せず）が、検知の死角を生じないように、共用通路４の壁に、複数個設けられている。
・非常用の広角暗視カメラ（図示せず）が、適切な配置にて、共用通路４の低い位置（例えば床上４０ｃｍ）に、複数個設けられている。
・各ボックスルーム５のルーム扉５１の上方に、案内表示灯４４が設けられている。
・スピーカ（図示せず）が共用通路４の天井に設置されている。
【００２４】
（４）各ボックスルーム５
・ルーム扉５１は、磁気カードキーで施開錠できるルーム錠５１１（図３）を備えている。
・ルーム扉５１には、ルーム扉５１の破壊を検知する門戸センサー（図示せず）が設けられている。
・複数個の監視カメラ５２が、ルーム扉５１付近を含むボックスルーム５内を、ボックスルーム５全体に渡って死角が生じないよう撮影するように設置されている。
・人の動きを検知する人感センサー（図示せず）が、検知の死角を生じないように、ボックスルーム５の壁に、複数個設けられている。
・インターホーン５３が、ボックスルーム５の壁に、少なくとも１個設置されている。
・スピーカ（図示せず）がボックスルーム５の天井に設置されている。
・最も端のボックスルーム５には避難口が設けられているため、当該ボックスルーム５のルーム扉５１にはロックアウト用電動マグネット５４が設けられている。これは、共用通路４に閉じ込められた者が当該ボックスルーム５の避難口から逃げるのを防止するためである。
【００２５】
（５）各貸ボックス６０
・貸ボックス６０は、ボックス扉６１を開閉することにより、収納物の出し入れを行うようになっている。ボックス扉６１には、取っ手６１１が設けられている。
・ボックス扉６１は、多数の組合せを有するコインロックからなるボックス錠６２を施開錠することにより、開閉できるようになっている。
・ボックス扉６１の開閉や破壊を検知する門戸センサー（図示せず）が、ボックス扉６１に設けられている。
・ボックス扉６１の上部に、案内表示灯６３が設けられている。
【００２６】
（６）管理部７
管理部７は、図５に示すように、上述した各設備を管理制御するための、制御部７１、記録部７２、表示部７３、操作部７４、出力部７５等、を有している。管理部７は、コンピュータを用いて実現でき、具体的には、制御部７１はＣＰＵで実現でき、記録部７２はハードディスクで実現でき、表示部７３はディスプレイで実現でき、操作部７４はキーボードや操作パネルで実現でき、出力部７５はプリンターで実現できる。なお、管理部７は、警備員が常駐している警備部８とも、例えばネットワークを介して接続されている。そして、制御部７１は、図６〜図１７のブロック図に示すような、映像管理手段９０１、会話管理手段９０２、音声データ管理手段９０３、来客映像拡大表示手段９０４、入口扉制御手段９０５、通路扉制御手段９０６、点灯手段９０７、システムロック手段９０８、扉ロックアウト手段９０９、扉警報手段９１０、ルーム督促手段９１１、ボックス督促手段９１２等を有している。
【００２７】
映像管理手段９０１は、図６に示すように、全ての監視カメラの映像を所定の形式で表示部７３に表示させる。例えば、２台のディスプレイの内の一方には１６分割の常時表示を行い、他方には任意の箇所の表示を行う。なお、本手段９０４は、映像を記録部７２に記録させ、また、警備部８へも送る。
【００２８】
会話管理手段９０２は、図７に示すように、インターホンによる利用者と管理者との会話を、利用者を撮影している監視カメラの映像と共に、記録部７２に記録する。
【００２９】
音声データ管理手段９０３は、図８に示すように、エレベーターホール２の監視カメラ２１の集音マイクから得られた音声データを、記録部７２に記録させる。
【００３０】
来客映像拡大表示手段９０４は、図９に示すように、エレベーターホール２において、センサー２４１とリフレクター２４２とからなる来客センサーが来客を検知すると、監視カメラ２１を制御して、来客の拡大映像を所定時間（例えば１５秒間）だけ表示部７３に表示させる。
【００３１】
入口扉制御手段９０５は、図１０に示すように、入力器２２における、第１ＩＣカード読取手段２２１による読取情報と、第１暗証番号入力手段２２２による入力情報と、に基づいて、入口扉３１の開閉の許否を判断し、入口錠３１１を開錠させたり施錠したままとしたりする。なお、関係する金融機関から利用者の金融状況を入手し、それを開閉の許否判断の一情報としてもよい。即ち、例えば、本システムの賃貸料を滞納している利用者に対しては、入口扉３１を開かないようにしてもよい。また、本手段９０１は、入口扉３１の制御記録を記録部７２に記録させる。
【００３２】
通路扉制御手段９０６は、図１１に示すように、入力器３３における、第２ＩＣカード読取手段による読取情報と、第２暗証番号入力手段による入力情報と、に基づいて、通路扉４１の開閉の許否を判断し、通路錠４１１を開錠させたり施錠したままとしたりする。なお、入口扉制御手段９０１と同様に、関係する金融機関から利用者の金融状況を入手し、それを開閉の許否判断の一情報としてもよい。また、本手段９０２は、通路扉４１の制御記録を記録部７２に記録させる。
【００３３】
点灯手段９０７は、図１２に示すように、第１ＩＣカード読取手段２２１又は第２ＩＣカード読取手段による読取情報に基づいて、利用者の目的とするボックスルーム５の案内表示灯４４及び目的とする貸ボックス６０の案内表示灯６３を点灯させる。
【００３４】
システムロック手段９０８は、図１３に示すように、利用者が暗証番号の入力を、所定時間内に終了しなかった場合や３回間違えた場合に、本システムの作動をロックするとともに、記録部７２に記録し、警備部８へ通報する。
【００３５】
扉ロックアウト手段９０９は、図１４に示すように、入口室３、共用通路４、及びボックスルーム５に設置した人感センサーによる検知情報に基づいて、複数の人が居ると判断した場合に、又は、人が異常行動をしていると判断した場合に、ロックアウト用電動マグネット２３、３４、５４を作動させ、また、スピーカから警報を発し、更に、警備部８へ通報する。
【００３６】
扉警報手段９１０は、図１５に示すように、入口扉３１、通路扉４１、及びルーム扉５１に設置した門戸センサーが各扉の破壊を検知した場合に、当該扉の映像を表示部７３に表示させ、記録部７２に記録し、スピーカから警報を発し、警備部８へも通報する。
【００３７】
ルーム督促手段９１１は、図１６に示すように、ボックスルーム５に設置した人感センサーによる検知情報に基づいて、利用者がボックスルーム５へ入室してからの時間を計測し、所定時間を越えた場合に、ボックスルーム５内に設置されているスピーカから督促の警告を発生する。
【００３８】
ボックス督促手段９１２は、図１７に示すように、貸ボックス６０に設置した門戸センサーによる検知情報に基づいて、ボックス扉６１が開かれてからの時間を計測し、所定時間を越えた場合に、ボックスルーム５内に設置されているスピーカから督促の警告を発生する。
【００３９】
次に、本システムの作動について説明する。
本システムの運営者と所定の契約を締結した者は、本システムの利用者となることができ、２種類のカードキーと、１種類のボックスキーと、が与えられる。２種類のカードキーの一方は、入口錠３１１及び通路錠４１１の両方を施開錠できる扉キーであり、他方は、目的とするボックスルーム５のルーム扉５１のルーム錠５１１を施開錠できるルームキーである。ボックスキーは、目的とする貸ボックス６０のボックス錠６２を施開錠できるものである。
【００４０】
利用者が、入口扉３１に至り、扉キーを第１ＩＣカード読取手段２２１に挿入し、第１暗証番号入力手段２２２から自己の暗証番号を入力すると、入口扉制御手段９０５によって、第１ＩＣカード読取手段２２１による読取情報と、第１暗証番号入力手段２２２による入力情報と、に基づいて、入口扉３１の開閉の許否が判断され、許可と判断されると、入口錠３１１が自動的に開錠される。これにより、利用者は、入口扉３１を開けて入口室３に入ることができる。
【００４１】
入口室３に入った利用者は、通路扉４１に進むことができる。次に、利用者が、扉キーを入力器３３の第２ＩＣカード読取手段に挿入し、第２暗証番号入力手段から自己の暗証番号を入力すると、通路扉制御手段９０６によって、第２ＩＣカード読取手段による読取情報と、第２暗証番号入力手段による入力情報と、に基づいて、通路扉４１の開閉の許否が判断され、許可と判断されると、通路錠４１１が自動的に開錠される。これにより、利用者は、通路扉４１を開けて共用通路４に入ることができる。
【００４２】
共用通路４においては、点灯手段９０７によって、第１ＩＣカード読取手段２２１又は第２ＩＣカード読取手段による読取情報に基づいて、利用者の目的とするボックスルーム５の案内表示灯４４が点灯されている。従って、共用通路４に入った利用者は、案内表示灯４４を目印として、目的とする自己の貸ボックス６０が在るボックスルーム５へ到達できる。そして、利用者は、ルームキーにより、ルーム扉５１のルーム錠５１１を開錠して、ボックスルーム５内へ入ることができる。
【００４３】
ボックスルーム５においては、点灯手段９０７によって、第１ＩＣカード読取手段２２１又は第２ＩＣカード読取手段による読取情報に基づいて、利用者の目的とする貸ボックス６０の案内表示灯６３が点灯されている。従って、ボックスルーム５に入った利用者は、案内表示灯６３を目印として、目的とする自己の貸ボックス６０へ到達できる。そして、利用者は、ボックスキーにより、ボックス扉６１のボックス錠６２を開錠して、貸ボックス６０の収容物を出し入れできる。
【００４４】
以上のように、本システムにおいては、利用者による利用の許否が、入口扉制御手段９０５及び通路扉制御手段９０６によって、２回判断されるので、不当な利用者による利用の可能性を大きく低減でき、よって、保安管理の充実性を大きく向上できる。
【００４５】
また、点灯手段９０７によって、目的とするボックスルーム５の案内表示灯４４及び目的とする貸ボックス６０の案内表示灯６３が点灯されるので、利用者は、迷うことなく且つ確実に、目的とする自己の貸ボックス６０へ到達できる。
【００４６】
上記作動は、本システムが正常に利用された場合を示しているが、本システムは、保安管理上において注意されるべき異常な利用に対処すべく、種々の工夫を備えており、それは次のように作動する。
【００４７】
利用者が、本システムの建築物１が在るエレベーターホール２に進むと、来客センサーが来客を検知し、来客映像拡大表示手段９０４によって、監視カメラ２１が制御されて、来客の拡大映像が所定時間だけ表示部７３に表示される。また、エレベーターホール２における利用者の音声は、監視カメラ２１に内蔵された集音マイクを経て、音声データ管理手段９０３によって記録部７２に記録される。これにより、管理部７に居る管理者は、利用者の風体や声から、異常利用発生の可能性を推測できる。従って、異常利用が発生した場合の対処を迅速化できる。
【００４８】
利用者がエレベーターホール２においてインターホン２５を使用すると、会話管理手段９０２によって、インターホン２５による利用者と管理者との会話が、利用者を撮影している監視カメラ２１の映像と共に、記録部７２に記録される。従って、後日、何らかの争いが生じた場合、当該記録を利用して適正な解決を図ることができる。
【００４９】
入口扉制御手段９０５又は通路扉制御手段９０６による許否の判断は、利用者の金融機関における金融情報に基づいて行ってもよい。これによれば、賃料滞納等の不当な利用者となる可能性が高い者を、積極的に排除でき、従って、安全性を向上できる。
【００５０】
利用者が、第１暗証番号入力手段２２２又は第２暗証番号入力手段において、暗証番号の入力を、所定時間内に終了しなかった場合や３回間違えた場合には、システムロック手段９０８によって、本システムの作動がロックされるとともに、警備部８へ通報される。これにより、不当である可能性が高い者による利用を排除できる。また、警備員による当該者の拘束も行うことができる。
【００５１】
入口室３において、利用者は、監視カメラ３２で撮影されるとともに、人感センサーにより、その動作が検知される。例えば、利用者が入口扉３１を開けて入口室３に入る際に、他の者が駆け込むようにして利用者と共に入口室３に入って来たり、入口室３に入った利用者が異常行動をしたりした場合には、扉ロックアウト手段９０９が、人感センサーによる検知情報に基づいて、入口室３内の状況を異常と判断し、ロックアウト用電動マグネット２３、３４、５４を作動させる。これにより、利用者や駆け込んだ他の者は、入口室３からの逃亡が不可能となる。また、扉ロックアウト手段９０９は、スピーカから警報を発する。これにより、利用者等は、異常利用の発生を知る。更に、扉ロックアウト手段９０９は、警備部８へ通報する。これにより、警備員による利用者等の拘束を行って、異常利用を終息させることができる。
【００５２】
共用通路４において、利用者は、監視カメラ４２で撮影されるとともに、人感センサーにより、その動作が検知される。例えば、利用者が通路扉４１を開けて共用通路４に入る際に、入口室３に気付かれないで入っていた他の者が駆け込むようにして利用者と共に共用通路４に入って来たり、共用通路４に入った利用者が異常行動をしたりした場合には、扉ロックアウト手段９０９が、人感センサーによる検知情報に基づいて、共用通路４内の状況を異常と判断し、ロックアウト用電動マグネット２３、３４、５４を作動させる。これにより、利用者や駆け込んだ他の者は、共用通路４及びボックスルーム５からの逃亡が不可能となる。また、扉ロックアウト手段９０９は、スピーカから警報を発する。これにより、利用者等は、異常利用の発生を知る。更に、扉ロックアウト手段９０９は、警備部８へ通報する。これにより、警備員による利用者等の拘束を行って、異常利用を終息させることができる。
【００５３】
ボックスルーム５において、利用者は、監視カメラ５２で撮影されるとともに、人感センサーにより、その動作が検知される。例えば、利用者がルーム扉５１を開けてボックスルーム５に入る際に、共用通路４に気付かれないで入っていた他の者が駆け込むようにして利用者と共にボックスルーム５に入って来たり、ボックスルーム５に入った利用者が異常行動をしたりした場合には、扉ロックアウト手段９０９が、人感センサーによる検知情報に基づいて、ボックスルーム５内の状況を異常と判断し、ロックアウト用電動マグネット２３、３４、５４を作動させる。これにより、利用者や駆け込んだ他の者は、ボックスルーム５及び共用通路４からの逃亡が不可能となる。また、扉ロックアウト手段９０９は、スピーカから警報を発する。これにより、利用者等は、異常利用の発生を知る。更に、扉ロックアウト手段９０９は、警備部８へ通報する。これにより、警備員による利用者等の拘束を行って、異常利用を終息させることができる。
【００５４】
入口扉３１、通路扉４１、又はルーム扉５１が破壊された場合には、該扉に設置している門戸センサーによって、該扉の破壊が検知され、扉警報手段９１０が、門戸センサーによる検知情報に基づいて、該扉の映像を表示部７３に表示させ、記録部７２に記録する。これにより、強行な窃盗の犯罪証拠を確保できる。また、扉警報手段９１０は、スピーカから警報を発する。これにより、窃盗の実行行為の継続を抑止できる。更に、扉警報手段９１０は、警備部８へも通報する。これにより、窃盗の行為者を警備員によって拘束して、犯罪の防止を図ることができる。
【００５５】
利用者がボックスルーム５内に必要以上に長時間滞在することは、異常利用を行っている可能性が高まることであると考えられる。そこで、利用者がボックスルーム５へ入室してから所定時間を越えた場合には、ルーム督促手段９１１によって、ボックスルーム５内に設置されているスピーカから督促の警告を発生する。これにより、異常利用発生の可能性を低減できる。
【００５６】
利用者がボックス扉を必要以上に長時間開いていることは、異常利用を行っている可能性が高まることであると考えられる。そこで、ボックス扉が開かれてから所定時間を越えた場合には、ボックス督促手段９１２によって、ボックスルーム５内に設置されているスピーカから督促の警告を発生する。これにより、異常利用発生の可能性を低減できる。
【００５７】
以上のように、本システムは、保安管理上において注意されるべき様々な異常な利用に、それぞれ適切に対処することができる。従って、本システムの保安管理は、充実している。
【００５８】
また、本システムを実施する建築物１は貸金庫のような堅牢な構造物ではなく、しかも、利用者は２種類のカードキーと１種類のボックスキーを持参するだけで利用できるので、本システムは、利用者によって気軽に利用できるものである。
【００５９】
なお、本システムにおいては、管理部７に、操作部７４による遠隔操作手段を設け、次のような遠隔操作を行うことができるようにするのが、好ましい。
・監視カメラの方向。
・非常時の避難誘導のための広角暗視カメラの方向。
・入口錠、通路錠、ルーム錠、又はボックス錠の施開錠。
・システムロックの起動及び解除。
・ロックアウト用電動マグネット２３、３４、５４の作動及び解除。
【００６０】
また、非常警報手段を設けるのが好ましい。これは、入口室３、共用通路４、及び各ボックスルーム５に設置した煙感知器及び緊急通報機により、火災等の非常事態を検知し、スピーカから警報を発するとともに、警備部８へ通報するものである。
【００６１】
更に、システム用建築物１における各ボックスルーム５の間仕切りは、次のように製作するのが好ましい。即ち、骨格として軽量鉄骨を使用し、めっき鋼鈑を全面に取り付け、その上に耐火ボードを貼り付ける。これによれば、ボックスルーム５の耐火性及び耐破壊性が向上する。
【産業上の利用可能性】
【００６２】
本発明の貸ボックスシステムは、銀行における従来の貸金庫に代わるものとして、非常に利用価値の高いものである。
【図面の簡単な説明】
【００６３】
【図１】本発明の貸ボックスシステムを実施するシステム用建築物の平面略図である。
【図２】入口扉をエレベーターホール側から見た図である。
【図３】ルーム扉を共用通路側から見た図である。
【図４】貸ボックスの正面図である。
【図５】管理部のブロック図である。
【図６】映像管理手段のブロック図である。
【図７】会話管理手段のブロック図である。
【図８】音声データ管理手段のブロック図である。
【図９】来客映像拡大表示手段のブロック図である。
【図１０】入口扉制御手段のブロック図である。
【図１１】通路扉制御手段のブロック図である。
【図１２】点灯手段のブロック図である。
【図１３】システムロック手段のブロック図である。
【図１４】扉ロックアウト手段のブロック図である。
【図１５】扉警報手段のブロック図である。
【図１６】ルーム督促手段のブロック図である。
【図１７】ボックス督促手段のブロック図である。
【符号の説明】
【００６４】
１  建築物  ２２１  第１ＩＣカード読取手段  ２２２  第１暗証番号入力手段  ２３、３４、５４  ロックアウト用電動マグネット  ２５、３５、４３  インターホン  ３  入口室  ３１  入口扉  ３１１  入口錠  ３２、４２、５２  監視カメラ  ４  共用通路  ４１  通路扉  ４１１  通路錠  ４４、６３  案内表示灯  ５  ボックスルーム  ５１  ルーム扉  ５１１  ルーム錠  ６０  貸ボックス  ６１  ボックス扉  ６２  ボックス錠  ７  管理部  ７１  制御部  ７２  記録部  ７３  表示部  ８  警備部  ９０５  入口扉制御手段  ９０６  通路扉制御手段  ９０７  点灯手段  ９０８  システムロック手段  ９０９  扉ロックアウト手段  ９１０  扉警報手段  ９１１  ルーム督促手段  ９１２  ボックス督促手段
【図１】
2005188140.tif 000003
【図２】
2005188140.tif 000004
【図３】
2005188140.tif 000005
【図４】
2005188140.tif 000006
【図５】
2005188140.tif 000007
【図６】
2005188140.tif 000008
【図７】
2005188140.tif 000009
【図８】
2005188140.tif 000010
【図９】
2005188140.tif 000011
【図１０】
2005188140.tif 000012
【図１１】
2005188140.tif 000013
【図１２】
2005188140.tif 000014
【図１３】
2005188140.tif 000015
【図１４】
2005188140.tif 000016
【図１５】
2005188140.tif 000017
【図１６】
2005188140.tif 000018
【図１７】
2005188140.tif 000019